(57)【要約】【課題】所望の背景画像に加えて、所望の衣服画像又は所望のアクセサリ画像を用いて合成画像を得る。【解決手段】撮影システム１０は筐体２０と、前記筐体２０内に設けられた撮影装置１２と、制御部１１とを有する。制御部１１は所望の背景画像に加えて、所望の衣服画像および又はアクセサリ画像を用いてクロマキー合成して合成画像５を得る画像処理部５０を有する。【選択図】図２Ａ
2020092314.tif 000002
【特許請求の範囲】
【請求項１】
背景および被撮影者を撮影し、少なくとも背景と、衣服と、人物画像とを含む撮影画像を生成する撮影装置と、
表示部と、
前記撮影装置および前記表示部に接続された制御部と、を備え、
前記制御部は前記撮影画像から前記背景および前記衣服を切り取って得られた人物画像と、所望の背景画像および所望の衣服画像とをクロマキー合成して合成画像を作成する画像処理部と、
前記所望の背景画像および前記所望の衣服画像を選択して前記画像処理部へ送る画像選択部とを有し、
前記画像処理部で作成された合成画像を前記表示部に表示する、撮影システム。
【請求項２】
背景および被撮影者を撮影し、背景と、アクセサリと、人物画像とを含む撮影画像を生成する撮影装置と、
表示部と、
前記撮影装置および前記表示部に接続された制御部とを備え、
前記制御部は前記撮影画像から前記背景、および前記アクセサリを切り取って得られた人物画像と、所望の背景画像および所望のアクセサリ画像とをクロマキー合成して合成画像を作成する画像処理部と、
前記所望の背景画像および前記所望のアクセサリ画像を選択して前記画像処理部へ送る画像選択部とを有し、
前記画像処理部で作成された合成画像を前記表示部に表示する、撮影システム。
【請求項３】
前記制御部は複数の背景画像および複数の衣服画像又は複数のアクセサリ画像を格納した記憶部を更に有し、
前記表示部に表示された背景画像および衣服画像又はアクセサリ画像から所望の背景画像および衣服画像又はアクセサリ画像を選択する選択指示を受け付ける指示受付部を設けた、請求項１又は２記載の撮影システム。
【請求項４】
前記記憶部に、外部から前記所望の背景画像および前記所望の衣服画像又は前記所望のアクセサリ画像が送られる、請求項３記載の撮影システム。
【請求項５】
前記画像処理部で用いられる前記背景画像と前記衣服画像は同一パターンを含む、請求項１記載の撮影システム。
【請求項６】
前記画像処理部で用いられる前記人物画像および前記衣服画像と、前記背景画像との間に縁取り空間が形成されている、請求項１又は５記載の撮影システム。
【請求項７】
前記画像処理部で用いられる前記人物画像および前記衣服画像と、前記背景画像との間に境界空間が形成されている、請求項１又は５記載の撮影システム。
【請求項８】
前記画像処理部で用いられる前記アクセサリ画像は帽子、眼鏡、靴又は髪からなる、請求項２記載の撮影システム。
【発明の詳細な説明】
【技術分野】
【０００１】
本開示は、被撮影者を撮影する撮影システムに関する。
【背景技術】
【０００２】
従来、被撮影者を撮影する撮影システムが知られている。このような撮影システムは被撮影者が入る筐体を有し、この筐体内に撮影手段（カメラ）と投光部とが設置されている。
【０００３】
従来の撮影システムでは、撮影者を撮影した後、撮影画像から背景を切り取って人物画像を得るとともに、所望の背景画像と人物画像をクロマキー合成して合成画像を作成している。
【０００４】
このような場合、被撮影者としては所望の背景画像に加えて、所望の衣服画像あるいは所望のアクセサリ画像を用いて合成画像を作成したい要望があるが、未だこのような技術は開発されていない。
【先行技術文献】
【特許文献】
【０００５】
【特許文献１】特開２０１８−１０６７３６号公報
【特許文献２】特開２０１３−２０７７４４号公報
【発明の概要】
【発明が解決しようとする課題】
【０００６】
本開示はこのような点を考慮してなされたものであり、所望の背景画像に加えて、所望の衣服画像又は所望のアクセサリ画像を用いて合成画像を得ることができる撮影システムを提供することを目的とする。
【課題を解決するための手段】
【０００７】
本開示は、背景および被撮影者を撮影し、少なくとも背景と、衣服と、人物画像とを含む撮影画像を生成する撮影装置と、表示部と、前記撮影装置および前記表示部に接続された制御部とを備え、前記制御部は前記撮影画像から前記背景および前記衣服を切り取って得られた人物画像と、所望の背景画像および所望の衣服画像とをクロマキー合成して合成画像を作成する画像処理部と、前記所望の背景画像および前記所望の衣服画像を選択して前記画像処理部へ送る画像選択部とを有し、前記画像処理部で作成された合成画像を前記表示部に表示する、撮影システムである。
【０００８】
本開示は、背景および被撮影者を撮影し、背景と、アクセサリと、人物画像とを含む撮影画像を生成する撮影装置と、表示部と、前記撮影装置および前記表示部に接続された制御部とを備え、前記制御部は前記撮影画像から前記背景および前記アクセサリを切り取って得られた人物画像と、所望の背景画像および所望のアクセサリ画像とをクロマキー合成して合成画像を作成する画像処理部と、前記所望の背景画像および前記所望のアクセサリ画像を選択して前記画像処理部へ送る画像選択部とを有し、前記画像処理部で作成された合成画像を前記表示部に表示する、撮影システムである。
【０００９】
本開示は、前記制御部は複数の背景画像および複数の衣服画像又は複数のアクセサリ画像を格納した記憶部を更に有し、前記表示部に表示された背景画像および衣服画像又はアクセサリ画像から所望の背景画像および衣服画像又はアクセサリ画像を選択する選択指示を受け付ける指示受付部を設けた、撮影システムである。
【００１０】
本開示は、前記記憶部に、外部から前記所望の背景画像および前記所望の衣服画像又は前記所望のアクセサリ画像が送られる、撮影システムである。
【００１１】
本開示は、前記画像処理部で用いられる前記背景画像と前記衣服画像は同一パターンを含む、撮影システムである。
【００１２】
本開示は、前記画像処理部で用いられる前記人物画像および前記衣服画像と、前記背景画像との間に縁取り空間が形成されている、撮影システムである。
【００１３】
本開示は、前記画像処理部で用いられる前記人物画像および前記衣服画像と、前記背景画像との間に境界空間が形成されている、撮影システムである。
【００１４】
本開示は、前記画像処理部で用いられる前記アクセサリ画像は帽子、眼鏡、靴又は髪からなる、撮影システムである。
【発明の効果】
【００１５】
本開示によれば、所望の背景画像に加えて、所望の衣服画像又は所望のアクセサリ画像を用いて合成画像を得ることができる。
【図面の簡単な説明】
【００１６】
【図１】図１は本実施の形態による撮影システムの全体を示す図。
【図２Ａ】図２Ａは撮影システムの機能的構成を示すブロック図。
【図２Ｂ】図２Ｂは制御部の機能的構成を示す図。
【図２Ｃ】図２Ｃは制御部内の機能ブロックを示す図。
【図３】図３は筐体内の構成部材の配置状態を示す図。
【図４】図４は撮影システムの撮影作業を示すフローチャート。
【図５Ａ】図５Ａはクロマキー合成処理を示すイメージ図。
【図５Ｂ】図５Ｂはクロマキー合成処理を示すイメージ図。
【図５Ｃ】図５Ｃはクロマキー合成処理を示すイメージ図。
【図６Ａ】図６Ａはクロマキー合成により得られた合成画像を示す図。
【図６Ｂ】図６Ｂはクロマキー合成により得られた合成画像を示す図。
【図６Ｃ】図６Ｃはクロマキー合成により得られた合成画像を示す図。
【図６Ｄ】図６Ｄはクロマキー合成により得られた合成画像を示す図。
【図６Ｅ】図６Ｅはクロマキー合成により得られた合成画像を示す図。
【図６Ｆ】図６Ｆはクロマキー合成により得られた合成画像を示す図。
【図７】図７は背景画像と人物画像と衣服画像をクロマキー合成するイメージ図。
【図８Ａ】図８Ａはクロマキー合成により得られた他の合成画像を示す図。
【図８Ｂ】図８Ｂはクロマキー合成により得られた他の合成画像を示す図。
【図８Ｃ】図８Ｃはクロマキー合成により得られた他の合成画像を示す図。
【図８Ｄ】図８Ｄはクロマキー合成により得られた他の合成画像を示す図。
【図９】図９はクロマキー合成により得られた写真印刷物を示す図。
【発明を実施するための形態】
【００１７】
＜本実施の形態＞
以下、図面を参照して本実施の形態について説明する。  
図１乃至図８は本開示による撮影システムの実施の形態を示す図である。
【００１８】
まず図１乃至図３により本実施の形態による撮影システム１０の概略について述べる。
【００１９】
図１乃至図３に示すように、撮影システム１０は、底板２１と、天板２２と、側板２３とを有する筐体２０と、筐体２０内を撮影空間２０Ａと収納空間２０Ｂとに区画する区画壁２０Ｃとを備え、筐体２０の収納空間２０Ｂ内の区画壁２０Ｃ側にはカメラ１２（撮影装置）および投光部３４と、操作パネル１５と、検知センサ１３と、キャッシャー３３とが設けられている。また底板２１上に金属板からなる床面２５が配置されている。ここで、筐体２０は後述する被撮影者Ｐを囲うものであり、囲い体として機能する。囲い体としては、被撮影者Ｐを上下方向および側方全域から囲うものに限らず、前面および後面のみから被撮影者Ｐを囲うものであってもよい。さらにまた収納空間２０Ｂ内のうち、区画壁２０Ｃに対向する側板２３側には、下方から上方へ向かって順次プリンタ１７と制御部１１とが配置されている。
【００２０】
また底板２１と床面２５との間には図示しない防振装置が介在されている。
【００２１】
また上記構成部材のうち、操作パネル１５は、被撮影者Ｐがカメラ１２に正対している場合、カメラ１２で撮影された画像（撮影画像）、および後述するクロマキー合成画像、背景画像、および衣服画像および／又はアクセサリ画像等を被撮影者Ｐが確認するものであり、かつ操作パネル１５は被撮影者Ｐが操作するためのパネルとなっている。
【００２２】
上述のように筐体２０の収納空間２０Ｂ内の区画壁２０Ｃ側には、カメラ１２、投光部３４、操作パネル１５が設置され、撮影空間２０Ａ内のうち、区画壁２０Ｃに対向する側板２３側には、入手した画像から被撮影者の全身を切り抜くクロマキー処理用の緑色の背景板２６が設けられている。このうち操作パネル１５は各種画像を表示する表示部１５Ａと、所望画像を選択する指示受付部１５Ｂとを有し、指示受付部１５Ｂは入力機能をもつ部位となっている。
【００２３】
また筐体２０の収納空間２０Ｂ内の区画壁２０Ｃ側には、上述のように操作パネル１５の下方に、検知センサ１３と、キャッシャー３３とが上方から下方に向かって順次配置されている。
【００２４】
また筐体２０の側板２３の外面には、プリンタ１７の取出口１７ａが設けられている。
【００２５】
さらに筐体２０の収納空間２０Ｂ内には、制御部１１およびプリンタ１７に加えて、プリンタ１７、Ｉ／Ｏ（Input/Output）ユニット３１、およびスピーカ３２が内蔵されている。
【００２６】
なお、上述したカメラ１２は被撮影者Ｐを撮影するためのカメラであり、筐体２０内で被撮影者Ｐの静止画像、又は被撮影者Ｐの動画像を得るようになっている。
【００２７】
次に制御部１１について述べる。制御部１１は、カメラ１２、検知センサ１３、操作パネル１５、プリンタ１７および後述するＷｉＦｉルータ１８に接続されており、各部の制御やデータの受け渡しを行う。
【００２８】
図２Ｂに、制御部１１のハードウェア構成を示す。制御部１１は、ＣＰＵ（中央演算処理部）４１と、メインメモリ４２と、ディスク装置４３と、入出力部４４とを有する。制御部１１の各部はバス４５を介して接続されている。
【００２９】
ディスク装置４３は、ＣＰＵ４１により実行される画像処理プログラム及び人物画像に合成される背景画像、および衣服画像又はアクセサリ画像をデータベース（記憶部）４７に格納する。またデータベース（記憶部）４７には、撮影画像データ、色や模様の異なる複数の背景画像データ、および色や模様の異なる複数の衣服画像データおよび／又はアクセサリ画像データが記録されている。
【００３０】
ディスク装置４３は例えばハードディスクドライブである。なお、画像処理プログラムは、ディスク装置４３でなく、ＲＯＭや磁気テープ（共に図示せず）に格納されていてもよい。
【００３１】
ＣＰＵ４１は、ディスク装置４３内の画像処理プログラムをメインメモリ４２にロードして、画像処理プログラムを実行する。
【００３２】
画像処理プログラムの実行に伴い、メインメモリ４２上には、撮影画像データ、人物画像データ、背景画像データ、衣服画像データおよび／又はアクセサリ画像、合成画像データを格納する領域が確保される。
【００３３】
図２Ｃは、ＣＰＵ４１が画像処理プログラムを実行することで実現される機能ブロック図である。画像処理プログラムを実行することにより、画像選択部４８と、画像処理部５０とが実現され、これら画像選択部４８と画像処理部５０とにより画像処理プログラムの実行により実現される画像処理プログラム実行部が形成される。
【００３４】
画像選択部４８は、データベース４７内の背景画像データ、衣服画像および又はアクセサリ画像をディスク装置４３から選択して取り出し、背景画像候補データ、衣服画像候補データおよび又はアクセサリ画像候補データとして操作パネル１５の表示部１５Ａへ出力する。また、画像選択部４８は、操作パネル１５の指示受付部１５Ｂを介して被撮影者Ｐから背景画像、および衣服画像および又はアクセサリ画像の選択指示を受け付けると、選択された背景画像データ、衣服画像データおよび又はアクセサリ画像データを画像処理部５０に渡す。
【００３５】
画像処理部５０は、クロマキー合成による処理を用いて、カメラ１２により生成された撮影画像１内の人物画像２と、画像選択部４８から受け取った背景画像３Ａ、衣服画像４Ａおよび又はアクセサリ画像６Ａとを合成して、合成画像５を作成する（図５Ａ〜図５Ｃ参照）。具体的には、画像処理部５０は、撮影画像１内の人物と背景色（壁紙色）との色差を判別し、人物画像２と背景３と衣服４および又はアクセサリ６を有する撮影画像１から背景３および衣服４および又はアクセサリ６を除去し、人物画像２を切り抜く。ここで判別される色差とは、色相差、彩度差、又は色相差及び彩度差の組み合わせである。そして、画像処理部５０は、画像選択部４８から受け取った背景画像３Ａ、および衣服画像４Ａおよび又はアクセサリ画像６Ａと、切り抜いた人物画像２とを重ね合わせることで、クロマキー合成を行ってクロマキー合成画像５を作成する。
【００３６】
このようにして作成された合成画像５は操作パネル１５の表示部１５Ａに表示される。
【００３７】
ここで撮影画像１中のアクセサリ６とは、例えば被撮影者が身に付ける帽子、眼鏡、靴又は髪等からなる。このようなアクセサリからなる所望のアクセサリ画像６Ａを所望の背景画像３Ａおよび所望の衣服画像４Ａとともに、人物画像２に重ね合わせることにより、クロマキー合成を実行することができる。
【００３８】
なお、クロマキー合成を実行する場合、（ｉ）人物画像２に対して所望の背景画像３Ａおよび所望の衣服画像４Ａのみを重ね合わせて、アクセサリ画像を除いてもよく、（ii）人物画像２に対して所望の背景画像３Ａ、所望の衣服画像４Ａおよびアクセサリ画像６Ａを重ね合わせてもよく、（iii）人物画像２に対して所望の背景画像３Ａと所望のアクセサリ画像６Ａのみを重ね合わせて衣服画像４Ａを除いてもよい。
【００３９】
制御部１１はこのような構成からなり、後述するカメラ１２により撮影された画像により、制御部１１は一ショット毎の画像ショットを生成する。
【００４０】
カメラ１２は、光学レンズ、ＣＣＤ（Charge Coupled Device）等の光学センサ、Ａ／Ｄ（Analog/Digital）変換部等から構成され、撮影時には光学レンズを介して入力される被写体像を光学センサにより光電変換して画像信号（アナログ）を生成する。そして、Ａ／Ｄ変換部によりアナログ画像信号からデジタル画像データを得て、当該デジタル画像データを制御部１１に出力する。
【００４１】
検知センサ１３は、撮影システム１０の撮影空間１０Ａ内に被撮影者Ｐが入室したことを検知する光学センサ等であり、その検知信号を制御部１１に出力する。
【００４２】
操作パネル１５は、上述のように表示部１５Ａと指示受付部１５Ｂとを有するタッチパネルからなるが、写真種類を選択するための写真種選択スイッチ（以下、ＳＷ）、撮影開始を指示するための撮影ＳＷ、撮影画像のプリント出力を指示するためのプリントＳＷ等の各種機能キーを別個に設けて、操作されたキーに対応する操作信号を制御部１１に出力してもよい。
【００４３】
また操作パネル１５がタッチパネルからなる場合、ＬＣＤ（Liquid Crystal Display）等を有し、制御部１１からの制御信号に従って、撮影手順を説明するガイド画面、写真種類を選択するための選択画面等の各種操作画面を表示部１５Ａに表示する。また操作パネル１５は被撮影者Ｐがカメラ１２に正対している場合、カメラ１２により撮影された被撮影者Ｐの顔画像等を表示する。さらに被撮影者Ｐは操作パネル１５の指示受付部１５Ｂに対して所望の指示を入力することができる。
【００４４】
プリンタ１７は、制御部１１から入力された画像データに基づいてプリント出力を行う。プリンタ１７のプリント方式としては、色材を昇華、転移させて画像を形成する昇華型転写方式が適用されている。しかしながら、記録媒体と受像材料とを重ね合わせて熱を加えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００４５】
Ｉ／Ｏユニット３１は、制御部１１と、スピーカ３２、キャッシャー３３、投光部３４との間で情報のやり取りを仲介するインターフェイスであり、制御部１１からの制御信号をスピーカ３２、キャッシャー３３、投光部３４に送信するとともに、スピーカ３２、キャッシャー３３、投光部３４からの信号等を制御部１１に出力する。
【００４６】
スピーカ３２は、Ｉ／Ｏユニット３１を介して制御部１１から入力されるガイド用アナウンスの音声信号を出力する。
【００４７】
キャッシャー３３は、硬貨や紙幣の入金口、釣銭の返金口等を備えた金銭登録機である。キャッシャー３３は、入金口から入金された金額を検出して釣銭の金額を算出し、算出された釣銭金額分の硬貨又は紙幣を返金口に排出して料金精算を行う。
【００４８】
投光部３４は、制御部１１から指示された発光タイミング、発光量で発光を行う。
【００４９】
次にこのような構成からなる本実施の形態の作用について図４により説明する。
【００５０】
まず被撮影者Ｐが筐体２０内に入ると、検知センサ１３により被撮影者Ｐが検出される。このとき、操作パネル１５の表示部１５Ａ上にガイダンスが表示される。同時にスピーカ３２から撮影ガイドに係るアナウンス音声が出力される。
【００５１】
次いで、キャッシャー３３へ、料金が投入され、キャッシャー３３において入金された金額のチェックが行われ、操作パネル１５の表示部１５Ａ上に操作画面が表示される。
【００５２】
以下、図４に示すように、操作パネル１５に表示されたガイダンスに沿って撮影作業が行なわれる。
【００５３】
まず図４に示すように、撮影システムの作用が開始し、カメラ１２を通して被撮影者Ｐが撮影されて、撮影画像１が得られる（図５Ａ参照）。
【００５４】
その後、操作パネル１５の表示部１５Ａ上に撮影画像１のプレビュー画面が現れ、制御部１１において、撮影画像１から合成画像５が生成される。
【００５５】
次に撮影システム１０により合成画像５を作成する作用の詳細を述べる。
【００５６】
カメラ１２により被撮影者Ｐを撮影することにより得られた撮影画像１は、人物画像２と背景３と、衣服４および又はアクセサリ６とを含む（図５Ａ参照）。撮影画像１のデータはカメラ１２から制御部１１へ送られ、制御部１１のデータベース４７に格納される。次にデータベース４７内の撮影画像１が制御部１１から操作パネル１５へ送られて操作パネル１５の表示部１５Ａに表示される。
【００５７】
この場合、操作パネル１５の表示部１５Ａには複数の撮影画像１のプレビュー画面が表示される。
【００５８】
次に被撮影者Ｐは操作パネル１５の表示部１５Ａ上の複数の撮影画像１の中から所望の撮影画像１を選択する。この場合、被撮影者Ｐが所望の撮影画像１上をタッチすると、このユーザＰの指示は操作パネル１５の指示受付部１５Ｂに受け付けられる。
【００５９】
なお被撮影者Ｐは操作パネル１５の表示部１５Ａ上の撮影画像１中に所望の撮影画像１がない場合、カメラ１２により再度撮影して、上述の手順を繰り返す。
【００６０】
次に被撮影者Ｐは所望の撮影画像１を決定した後、撮影画像１に対してクロマキー合成を行う。具体的にはまず操作パネル１５の表示部１５Ａ上に背景画像候補、および衣服画像候補および又はアクセサリ画像候補が表示され、被撮影者Ｐはこの背景画像候補、および衣服画像候補および又はアクセサリ画像候補の中から所望の背景画像３Ａ、および衣服画像４Ａおよび又はアクセサリ画像６Ａを選択する。
【００６１】
この場合、ユーザＰは操作パネル１５上の背景画像候補、および衣服画像候補および又はアクセサリ画像候補の中から所望の背景画像３Ａ、および衣服画像４Ａおよび又はアクセサリ画像６Ａをタッチする。このことにより被撮影者Ｐからの背景画像３Ａ、および衣服画像４Ａおよび又はアクセサリ画像６Ａを選択する旨の指示が操作パネル１５の指示受付部１５Ｂにより受け付けられる。
【００６２】
なお、上述のように、本実施の形態において、人物画像２に対して背景画像３Ａ、衣服画像４Ａおよびアクセサリ画像６Ａの３つの画像を重ね合わせてクロマキー合成を行ってもよい。この場合、被撮影者Ｐは背景画像３Ａと、衣服画像４Ａと、アクセサリ画像６Ａを選択する必要がある。人物画像２に対して背景画像３Ａと衣服画像４Ａのみを重ね合わせてクロマキー合成を行ってもよく、この場合は、被撮影者Ｐは背景画像３Ａと、衣服画像４Ａのみを選択する。また人物画像２に対して背景画像３Ａとアクセサリ画像６Ａのみを重ね合わせてクロマキー合成を行う場合は、背景画像３Ａとアクセサリ画像６Ａを選択する。
【００６３】
ところで上述のように、被撮影者Ｐの撮影画像１、人物画像２、背景画像候補、衣服画像候補、アクセサリ画像候補の各画像データが制御部１１のデータベース４７内に格納されている。このうち、背景画像候補、衣服画像候補およびアクセサリ画像候補の各画像データを複数予め制御部１１のデータベース４７内に格納しておいても良い。他方、カメラの撮影開始前に被撮影者Ｐが自分で使用したいと考える複数の背景画像候補、衣服画像候補および又はアクセサリ画像候補の各画像データを、例えば画像情報入力部３５に自らの携帯端末を接続してＩ／Ｏユニット３１を介して制御部１１に送ってデータベース４７に格納しておいてもよい。この場合、被撮影者Ｐは複数の背景画像候補、衣服画像候補および又はアクセサリ画像候補の各画像データを画像情報入力部３５にＵＳＢメモリ等の記録媒体を差し込んで制御部１１に送りデータベース４７に格納しておいてもよく、被撮影者Ｐは複数の背景画像候補、衣服画像候補および又はアクセサリ画像候補の各画像データを自らの携帯端末からＷｉＦｉルータ１８を介して制御部１１のデータベース４７に格納しておいてもよい。
【００６４】
被撮影者Ｐが操作パネル１５をタッチして指示受付部３Ｂから所望の背景画像３Ａ、衣服画像４Ａおよび又はアクセサリ画像６Ａを選択すると、制御部１１の画像選択部４８が、データベース４７から背景画像データ、衣服画像データおよび又はアクセサリ画像データを取り出す。次に、画像処理部５０はクロマキー合成による処理を用いて、人物画像２と背景３と衣服４および又はアクセサリ６とを含む撮影画像１から背景３と、衣服４および又はアクセサリ６を除去して人物画像２を切り抜く（図５Ｂ参照）。次にこの人物画像２と、選択された背景画像３Ａ、および衣服画像４Ａおよび又はアクセサリ画像６Ａとをクロマキー合成して合成画像５を作成する（図５Ｃ参照）。さらに、画像処理部５０は、この合成画像データからプレビュー用画像データを作成する。ここで、合成画像に用いられる背景画像３Ａ、および衣服画像４Ａおよび又はアクセサリ画像６Ａは、画像選択部４８が取り出した任意の画像データとなる。
【００６５】
ところで上述した図５Ｂおよび図５Ｃはクロマキー合成処理を示すイメージ図であるが、このうち、図５Ｂにおいて、撮影画像１から切り抜かれた背景３ａと、衣服４ａおよび又はアクセサリ６ａの各部分が透過した状態で示されている。また図５Ｃにおいて、人物画像２と、選択された背景画像３Ａと、衣服画像４Ａおよび又はアクセサリ画像６Ａは互いに多層に重ね合わされた状態でクロマキー合成処理を受ける（図７参照）。
【００６６】
次に操作パネル１５の表示部１５Ａが、画像処理部５０で作成された合成画像５のプレビュー画面を表示する。
【００６７】
被撮影者Ｐは、操作パネル１５の表示部１５Ａに表示されている合成画像５を承諾する場合は、操作パネル１５上の決定ボタンを押して指示受付部１５Ｂにより、承諾の意思が入力される。他方、合成画像５を承諾しない場合は、操作パネル１５の表示部１５Ａ上に背景画像候補、衣服画像候補および又はアクセサリ画像候補が再度表示されて、上述の手順が繰り返される。
【００６８】
被撮影者Ｐが合成画像５に承諾すると、合成画像５に基づいてプリンタ１７により写真印刷物Ｐが作製され、写真印刷物はプリンタ１７の取出口１７ａから排出される（図９参照）。あるいは、この画像ショットをＷｉＦｉルータ１８およびネットワークを介して外部サーバ（図示せず）に送ってもよい。図９において、写真印刷物Ｐには、人物画像２と、この人物画像２上に重ね合わされた背景画像３Ａと、衣服画像４Ａとを含むクロマキー合成画像５が印刷されている。
【００６９】
以上のように本実施の形態によれば、所望の背景画像に加えて、衣服画像および又はアクセサリ画像を用いてクロマキー合成処理を行って、所望の合成画像を得ることができる。
【００７０】
＜クロマキー合成による合成画像の例＞
次にクロマキー合成により得られた合成画像５の例を図６Ａ〜図６Ｆに示す。
【００７１】
図６Ａに示す合成画像５においては、人物画像２に対して、選択された背景画像３Ａと衣服画像４Ａが重ね合わされており、この場合、背景画像３Ａと衣服画像４Ａは同一の単一色からなる。
【００７２】
図６Ｂに示す合成画像５においては、人物画像２に対して、選択された背景画像３Ａと衣服画像４Ａが重ね合わされており、この場合、背景画像３Ａは単一色からなり、衣服画像４Ａは花柄パターンを含む。
【００７３】
図６Ｃに示す合成画像５においては、人物画像２に対して、選択された背景画像３Ａと衣服画像４Ａが重ね合わされており、この場合、背景画像３Ａと衣服画像４Ａは異なる色の単色からなる。
【００７４】
図６Ｄに示す合成画像５においては、人物画像２に対して、選択された背景画像３Ａと衣服画像４Ａが重ね合わされており、この場合、背景画像３Ａと衣服画像４Ａは同一の風景パターンを含む。
【００７５】
図６Ｅに示す合成画像５においては、人物画像２に対して、選択された背景画像３Ａと衣服画像４Ａが重ね合わされており、この場合、背景画像３Ａは風景パターンを含み、衣服画像４Ａは動物パターンを含む。
【００７６】
図６Ｆに示す合成画像５においては、人物画像２に対して、選択された背景画像３Ａと衣服画像４Ａが重ね合わされており、この場合、背景画像３Ａは風景パターンを含み衣服画像４Ａは単一色を含む。
【００７７】
次に図８Ａ〜図８Ｆによりクロマキー合成により得られた他の合成画像の例を示す。
【００７８】
図８Ａに示すように、合成画像５においては、人物画像２に対して、選択された背景画像３Ａおよび衣服画像４Ａが重ね合わされており、この場合、背景画像３Ａと衣服画像４Ａは同一の単一色からなる。
【００７９】
また人物画像２および衣服画像４Ａと、背景画像３Ａとの間に縁取り空間８が形成されている。このように人物画像２および衣服画像４Ａと、背景画像３Ａとの間に縁取り空間８を形成することにより、合成画像５中において人物画像２および衣服画像４Ａを浮き出させることができる。
【００８０】
図８Ｂに示すように、合成画像５においては、人物画像２に対して、選択された背景画像３Ａおよび衣服画像４Ａが重ね合わされており、この場合背景画像３Ａと衣服画像４Ａは同一の単一色からなる。
【００８１】
また人物画像２および衣服画像４Ａと、背景画像３Ａとの間に矩形状の境界空間９が形成されている。このように人物画像２および衣服画像４Ａと、背景画像３Ａとの間に境界空間９を形成することにより、合成画像５中において人物画像２および衣服画像４Ａを浮き出させることができる。
【００８２】
図８Ｃに示すように、合成画像５においては、人物画像２に対して、選択された背景画像３Ａおよび衣服画像４Ａが重ね合わされており、この場合、背景画像３Ａと衣服画像４Ａは同一の風景パターンを含む。
【００８３】
また人物画像２および衣服画像４Ａと、背景画像３Ａとの間に縁取り空間８が形成されている。このように人物画像２および衣服画像４Ａと、背景画像３Ａとの間に縁取り空間８を形成することにより、合成画像５中において人物画像２および衣服画像４Ａを浮き出させることができる。
【００８４】
図８Ｄに示すように、合成画像５においては、人物画像２に対して、選択された背景画像３Ａおよび衣服画像４Ａが重ね合わされており、この場合、背景画像３Ａと衣服画像４Ａは同一の風景パターンを含む。
【００８５】
また人物画像２および衣服画像４Ａと、背景画像３Ａとの間に矩形状の境界空間９が形成されている。このように人物画像２および衣服画像４Ａと、背景画像３Ａとの間に境界空間９を形成することにより、合成画像５中において人物画像２および衣服画像４Ａを浮き出させることができる。
【符号の説明】
【００８６】
１    撮影画像
２    人物画像
３    背景
３Ａ  背景画像
４    衣服
４Ａ  衣服画像
５    合成画像
６    アクセサリ
６Ａ  アクセサリ画像
８    縁取り空間
９    境界空間
１０  撮影システム
１１  制御部
１２  カメラ
１３  検知センサ
１５  操作パネル
１５Ａ  表示部
１５Ｂ  指示受付部
１７  プリンタ
１７ａ  取出口
２０  筐体
２１  底板
２２  天板
２３  側板
３１  Ｉ／Ｏユニット
３２  スピーカ
３３  キャッシャー
３４  投光部
４１  ＣＰＵ
４２  メインメモリ
４３  ディスク装置
４４  入出力部
４７  データベース（記憶部）
４８  画像選択部
５０  画像処理部
【図１】
2020092314.tif 000003
【図２Ａ】
2020092314.tif 000004
【図２Ｂ】
2020092314.tif 000005
【図２Ｃ】
2020092314.tif 000006
【図３】
2020092314.tif 000007
【図４】
2020092314.tif 000008
【図５Ａ】
2020092314.tif 000009
【図５Ｂ】
2020092314.tif 000010
【図５Ｃ】
2020092314.tif 000011
【図６Ａ】
2020092314.tif 000012
【図６Ｂ】
2020092314.tif 000013
【図６Ｃ】
2020092314.tif 000014
【図６Ｄ】
2020092314.tif 000015
【図６Ｅ】
2020092314.tif 000016
【図６Ｆ】
2020092314.tif 000017
【図７】
2020092314.tif 000018
【図８Ａ】
2020092314.tif 000019
【図８Ｂ】
2020092314.tif 000020
【図８Ｃ】
2020092314.tif 000021
【図８Ｄ】
2020092314.tif 000022
【図９】
2020092314.tif 000023